(57)【要約】【課題】  本発明は、市販のイヤホンをそのまま利用しつつ、イヤホンヘッドとイヤホンプラグを収納袋に装備されたコード保持具に着脱自在に定着せしめ、巻き付けせずにコードの断線のおそれを低減させ、他の収納物との干渉を防止してイヤホンの絡みを防止するイヤホン収納袋を提供することを目的とする。【解決手段】  この課題を解決するイヤホン収納袋は、イヤホンを収納する袋体と、袋体に対して装備された強靭で弾力性のある素材でできた雄部、雌部からなる二枚の扁平状の部材から構成され、雄雌部を連結させる結合部にはヒンジの機能を持ち、雄部は先端に係止片、雌部の先端にはこれを収納する嵌合部を有し、少なくとも前記雄部もしくは雌部のどちらか一方の内表面には、イヤホンコード保持のための滑り止め部を装備しているコード保持具から構成されていることを特徴とする。【選択図】図２
2016116049.tif 000002
【特許請求の範囲】
【請求項１】
イヤホンコードを一切巻き付かせず、イヤホンヘッドとイヤホンジャックそれぞれの根元部分のイヤホンコードのみに限定して挟持し、イヤホンヘッドとイヤホンジャックを拘止させてイヤホンコードを環状にすることを保持することにより、鞄などに収納し、その後の移動などによる振動を経た後、イヤホンヘッドとイヤホンジャックを拘止から解放した時に一切の厄介な本結びによる結び目を発生させず、且つ鞄やポケットなどに収納した際にイヤホンコードが他の収納物と一切干渉しないイヤホン収納袋であって、袋体と袋体の本体裏面もしくは表面に装備された雄部挟み込み部材(以下、雄部と略す)、雌部挟み込み部材(以下、雌部と略す)からなる二枚の扁平状の部材でコードを保持し、前記雄部と雌部のそれぞれの一辺同士を連結させる結合部にはヒンジの機能を持ち、前記雄部は先端に係止片、雌部の先端にはこれを収納する嵌合部を有し、少なくとも前記雄部もしくは雌部のどちらか一方の内表面には、イヤホンコード保持のための滑り止め部を装備して、両部材本体は強靭で弾力性のある素材から成り、雄雌部嵌合時の両部材間にはイヤホンコードを安全に挟持するための若干の隙間があることを特徴とするコード保持具から構成されるイヤホン収納袋。
【請求項２】
前記雄部、雌部の間の結合部のヒンジが弾性ヒンジであるコード保持具が袋体と構成されていることを特徴とする請求項１に記載のイヤホン収納袋。
【請求項３】
前記雄部、雌部の間の結合部のヒンジが枢着軸であるコード保持具が袋体と構成されていることを特徴とする請求項１に記載のイヤホン収納袋。
【請求項４】
前記コード保持具が袋体の閉塞部材としての機能を兼ねていることを特徴とする請求項１から３のいずれかに記載のイヤホン収納袋。
【請求項５】
前記コード保持具の雄部、雌部どちらか一方のみの外表面が、袋体裏面の開口部付近に装着されていることを特徴とする請求項１から３のいずれかに記載のイヤホン収納袋。
【請求項６】
前記コード保持具が袋体と着脱自在であることを特徴とする請求項１から５のいずれかに記載のイヤホン収納袋。
【請求項７】
前記コード保持具の雄雌部の先端の嵌合部にはそれぞれお互いを固定可能で着脱自在な雄雌面ファスナーが装置されていることを特徴とする請求項１から６のいずれかに記載のイヤホン収納袋。
【請求項８】
前記コード保持具の雄雌部の先端の嵌合部にはそれぞれお互いを固定可能で着脱自在な磁石が装置されていることを特徴とする請求項１から６のいずれかに記載のイヤホン収納袋。
【請求項９】
前記コード保持具の雄雌部の先端の嵌合部にはそれぞれお互いを固定可能で着脱自在な雄雌ホックが装置されていることを特徴とする請求項１から６のいずれかに記載のイヤホン収納袋。
【請求項１０】
イヤホン以外の機器のコード類もしくは一般の線状の物体についても、袋体及びコード保持具の寸法をそのコードや物体に合わせて変更することにより、同様の本結びによる結び目の発生と他の収納物との干渉による絡み合いの防止という発明の効果を実施出来る請求項１から９のいずれかに記載のイヤホン収納袋。
【発明の詳細な説明】
【技術分野】
【０００１】
本発明は未使用時のイヤホンコードを再開する際の利便性向上に関するものである。
【背景技術】
【０００２】
近年、携帯専用音楽プレーヤーに加え、昨今ではスマートフォンなどの携帯専用通信機器を使用して気軽にイヤホンで音楽を聴いている人たちが多い。(携帯専用音楽プレーヤー、携帯専用通信機器、携帯ラジオ、携帯ゲーム機、携帯録音機、補聴器などこれらを総称して以下では携帯音楽音声端末と言うことにする。)
【０００３】
一方でイヤホンを使用しない時、多くの人は鞄やポケットの中にそのまま収納している。
再び使用する時に取り出すと、大抵イヤホンコードに結び目が発生したり、他の収納物と干渉して絡まったりしてそれを解くのには、場合によってはかなりの労力と時間をついやさねばならない。その対策として多くの人は、イヤホンコードを携帯音楽音声端末本体か、専用のグッズに巻きつけてコードの縺れを解消している。
そうした状況下、未使用時のイヤホンコードの絡みを防止する技術について、多数の提案がなされている（特許文献１乃至6）。
【先行技術文献】
【特許文献】
【０００４】
【特許文献１】実用新案登録第３１６２５６４号公報
【特許文献２】特開２０００−１８４４８５号公報
【特許文献３】特開平１１−２５２６７８号公報
【特許文献４】特開２００９−２９０４９６号公報
【特許文献５】特許番号  特許第５００１４５４号
【特許文献６】特開２０１２−２９１１８
【発明の概要】
【発明が解決しようとする課題】
【０００５】
しかしながら、特許文献１に記載の技術においては、カバーが携帯音楽音声端末を覆い、当該端末にイヤホンを巻き付けるため、収納・使用再開までに手間が掛かる、イヤホンコードを携帯音楽音声端末に巻き付けることによる断線のおそれがあるなどの問題点が有った。
また、多くのメーカーでは断線防止のため携帯音楽音声端末本体にイヤホンコードを巻き付けることを説明書で禁止している。
さらに特許文献２に記載の技術においては、イヤホンの改良が必要であるなどの問題点が有った。
【０００６】
また、特許文献３に記載の技術においては、イヤホンの改良が必要であるなどの問題が有った。
【０００７】
また、特許文献４に記載の技術においては、イヤホンコードを携帯音楽音声端末に巻き付けることによる断線のおそれがあるなどの問題が有った。
【０００８】
また、特許文献５に記載の技術においては以上と異なりコードを巻き付けずにイヤホンコードを環状にすることで絡ませない希有な発明であるが、イヤホンコードを収束する部分に滑り止めがなく、きちんとイヤホンコードが固定されない可能性があり、カバンやポケットに収納しての移動中にコードが滑りイヤホンヘッドが収納バンドから長く飛び出して結果として絡んでしまう可能性は否定出来ない。
【０００９】
また、特許文献５に記載の技術においては、カバンなどに収納して、仮に他の電気器具のコード類もしくは何らかの線状の部材、または凹凸の多い形状の収納物などが同梱されている場合に、余ったコードとこれらの他の収納物とが干渉し合い、コードがこれらに絡みつくなどして再開に手間がかかる恐れがある。
【００１０】
そこで、特許文献６に記載の技術においては、イヤホンのコード巻き取り機構が、収納袋内に圧着固定されていることにより、収納時に完全に他の収納物と隔離され、コードが干渉する恐れのない発明である。
しかし、イヤホンそのものを改良する必要があり、手持ちのイヤホンは使用不可能である
【００１１】
そこで、上記問題に鑑み、本発明は、手持ちのイヤホンをそのまま利用しながら、イヤホンヘッドとイヤホンプラグを保持具に着脱自在に定着せしめ、巻き付けせずにコードの断線のおそれを低減させてイヤホンの絡みを防止し、カバンやポケットなどに収納した際も、余ったコードが他の収納物と干渉して絡み合うことを防止し、速やかなイヤホン使用の再開を可能とするイヤホン収納袋を提供することを目的とする。
【課題を解決するための手段】
【００１２】
イヤホンコードを一切巻き付かせず、イヤホンヘッドとイヤホンジャックのそれぞれの根元部分のイヤホンコードのみに限定して挟持し、イヤホンヘッドとイヤホンジャックを拘止させてイヤホンコードを環状にすることを保持することにより、鞄などに収納し、その後の移動などによる振動を経た後、イヤホンヘッドとイヤホンジャックを拘止から解放した時に一切の厄介な本結びによる結び目を発生させず、且つ鞄やポケットなどに収納した際にイヤホンコードが他の収納物と一切干渉しないイヤホン収納袋であって、イヤホンコードを収納するための袋体と袋体の本体裏面もしくは表面に装備された雄部挟み込み部材(以下、雄部と略す)、雌部挟み込み部材(以下、雌部と略す)からなる二枚の扁平状の部材でコードを保持し、前記雄部と雌部のそれぞれの一辺同士を連結させる結合部にはヒンジの機能を持ち、前記雄部は先端に係止片、雌部の先端にはこれを収納する嵌合部を有し、少なくとも前記雄部もしくは雌部のどちらか一方の内表面には、イヤホンコード保持のための滑り止め部を装備して、両部材本体は強靭で弾力性のある素材から成り、雄雌部嵌合時の両部材間にはイヤホンコードを安全に挟持するための若干の隙間があることを特徴とするコード保持具から構成されることを特徴とする。
【００１３】
前記雄部、雌部の間の結合部のヒンジが弾性ヒンジであるコード保持具が袋体と構成されていることを特徴とする。
【００１４】
前記雄部、雌部の間の結合部のヒンジが枢着軸であるコード保持具が袋体と構成されていることを特徴とする。
【００１５】
前記コード保持具が袋体の閉塞部材としての機能を兼ねていることを特徴とする。
【００１６】
前記コード保持具の雄部、雌部どちらか一方のみの外表面が、袋体裏面の開口部付近に装着されていることを特徴とする。
【００１７】
前記コード保持具が袋体と着脱自在であることを特徴とする。
【００１８】
前記コード保持具の雄雌部の先端の嵌合部にはそれぞれお互いを固定可能で着脱自在な雄雌面ファスナーが装置されていることを特徴とする。
【００１９】
前記コード保持具の雄雌部の先端の嵌合部にはそれぞれお互いを固定可能で着脱自在な磁石が装置されていることを特徴とする。
【００２０】
前記コード保持具の雄雌部の先端の嵌合部にはそれぞれお互いを固定可能で着脱自在な雄雌ホックが装置されていることを特徴とする
【００２１】
イヤホン以外の機器のコード類もしくは一般の線状の物体についても、袋体及びコード保持具の寸法をそのコードや物体に合わせて変更することにより、同様の本結びによる結び目の発生と他の収納物との干渉による絡み合いの防止という発明の効果を実施出来ることを特徴とする。
【発明の効果】
【００２２】
開示するイヤホン収納袋は、市販のイヤホンをそのまま利用しつつ、収納・使用再開時の手間が少なく、収納形態に基づくコード内断線のおそれも低い状態で、未使用時、イヤホンコードの絡みが防止出来るとともに、他の収納物との干渉を防止して速やかな再開の実現を可能にするものである。
【図面の簡単な説明】
【００２３】
【図１】本実施の形態に係るコード保持具を雄雌部開放状態にした場合のイヤホン収納袋の斜視図である。
【図２】本実施の形態に係るコード保持具を雄雌部嵌合状態にした場合のイヤホン収納袋の斜視図である
【図３】本実施の形態に係るコード保持具(雄雌部開放状態)の側面図である。
【図４】本実施の形態に係るコード保持具(雄雌部嵌合状態)の側面図である。
【図５】本実施の形態に係るコード保持具の基部内表面図である。
【図６】本実施の形態に係るコード保持具が袋体の閉塞部材を兼ねている場合のイヤホン収納袋の斜視図である。
【図７】本実施の形態に係るコード保持具、袋体の寸法を変更し、イヤホン以外のコード類、線状部材を収納した場合の本発明品の斜視図である。
【発明を実施するための形態】
【００２４】
図面を参照しながら、本発明を実施するための形態について説明する。
（携帯音楽音声端末に装着したイヤホンが絡まる原因）
【００２５】
一般に携帯音楽音声端末を使用しないとき、イヤホン３は鞄やポケットに収納し、必要なときに取り出して使用する。そのとき、イヤホンコード6が絡み合ってそれを解くのに大変な労力を費やし、絡み合ったイヤホンコード６を解き、携帯音楽音声端末の使用を開始するまでに長い時間が掛かる場合も多々あったりする。
【００２６】
上記のように、イヤホン３が再開に手間がかかる原因は、イヤホンヘッド５が二股に分かれていることに加え、イヤホンコード６が長いため、収納時にイヤホンヘッド５やイヤホンプラグ７が移動自在となっていることに加え、同じ鞄やポケットの中に他の機器のコード類や、何らかの線状部材、もしくは凹凸のある収納物などがある場合、これらと干渉し合い絡み合うことに主な原因が有るものと考える。
【００２７】
そこで、本実施の形態に係るイヤホン収納袋１を構成するコード保持具２は、収納時のイヤホンヘッド５とイヤホンプラグ７の根元のコードを固定することによって、イヤホンヘッド５とイヤホンプラグ７の移動を制限し、更にそのままイヤホンコード６全体を袋体４に収納することにより、他のコード類や線状部材、凹凸のある収納物などから完全に隔離せしめることが可能となり、未使用時のイヤホン３が絡み合うことを防止するものである。
（本実施の形態に係るイヤホン収納袋の構造）
図１乃至図７を用いて、本実施の形態に係るイヤホン収納袋１について説明する。
図１及び図２は、コード保持具２の雄雌部開放状態及び雄雌部嵌合状態を示す図である。
【実施例】
【００２８】
図１〜図４で示すように、コード保持具２は、袋体４に装備された雄部挟み込み部材(以下、雄部と略す)８と雌部挟み込み部材(以下、雌部と略す)９との二枚からなる扁平状の部材からなる器具である。コード保持具２の雄雌部材７、８によってイヤホンヘッド５とイヤホンプラグ７のそれぞれの根元部分のコードのみを固定しイヤホンヘッド５とイヤホンプラグ７を拘止させた状態を保持させることによりイヤホンコード６を環状態に形成させ、その状態を保持させる。
【産業上の利用可能性】
【００２９】
こうすることによって、コード保持具２は、イヤホンヘッド５とイヤホンプラグ７の移動を制限するため、本結びによる結び目の発生を予防し、且つ袋体４にそのままイヤホン３を収納出来ることにより、未使用時のイヤホンコード６が他の収納物と干渉し絡み合うことを防止することを可能にする。なお、コード保持具２は、既存のイヤホンを使用することができるため、イヤホンの為にこの器具を新たに製作する手間を省くことができる。また、コード保持具２は、イヤホン３の両端部を拘止させるだけの操作なので、巻き付けるなどの作業よりは遥かに収納時・使用再開時の手間が小さい。さらに、コード保持具２は、イヤホン３を携帯音楽音声端末に巻き付けることを要しないので、イヤホンコード６が断線するおそれを大幅に小さくすることができる。
【００３０】
図３及び４で示すように、コード保持具２は、雄部８、雌部９からなり雄部と雌部の間の結合部にはヒンジの機能を有する。
【００３１】
次に、図３乃至図５を用いて、コード保持具２の具体的な構成について説明する。図３は雄雌部開放状態の側面図、図４は雄雌部嵌合状態の側面図、図５は雄雌部の基部内表面図(イヤホンコード保持側)である。
【００３２】
雄部８には、先端に係止片１５、雌部９の先端にはこれを収納する嵌合部１３を有している。
【００３３】
雄部と雌部のそれぞれ一辺同士を連結させる結合部にはヒンジ部１０を有する。
【００３４】
雄部もしくは雌部の少なくとも一方の内表面にはイヤホンコード保持用滑り止め部１１を有する。
【００３５】
材質として、コード保持具２本体は、強靭で且つ雄雌の円滑な嵌合ために弾力性のある素材が好ましい。また、コード保持用滑り止め部１１にはゴムやポリウレタン樹脂のように弾力性・粘着性のある材質であることが好適である。
【００３６】
図１、図２、図６、及び図７を用いて、イヤホン収納袋１の使用方法について説明する。第一の手順として、イヤホンの使用者は、携帯音楽音声端末のイヤホンジャックからイヤホンプラグ７を取り外し、イヤホンヘッド５とイヤホンプラグ７のそれぞれの根元部分にあたるイヤホンコード６をイヤホン収納袋１に装備されたコード保持具２の雄部８又は雌部９の内表面上に置く。
【００３７】
第二の手順として、使用者は雌部９の嵌合部先端側片１４を押さえてイヤホンコード６が雄部又は雌部の内表面に置かれた状態で雄部の係止片１５を両部材の弾力性を利用して雌部の嵌合部１３に嵌合させる。この時、雄雌部材間には必ず隙間があり、両部材に過度に圧迫されることなくイヤホンコード６は雄部８又は雌部９に有する滑り止め部１１によって押止されている。
結果、イヤホンヘッド５とイヤホンプラグ７はコード保持具によって固定され、イヤホン３は環状態となる。
第三の手順としては、使用者は、イヤホンコード６を袋体４に収納する。
【００３８】
第四の手順として、使用者は、携帯音楽音声端末及びイヤホン３の使用再開にあたり、イヤホン収納袋内に装備されたコード保持具２の雄雌部材の嵌合状態を開放してイヤホン３の使用を再開する。イヤホン３が所定場所に収納されている間、イヤホンヘッド５乃至イヤホンプラグ７は自在に動かずにイヤホン３の環状態が保持されているため、イヤホン３は結び目(本結び)が決して発生しない。更に袋体により、収納時に隣り合う他の収納物との干渉を完全に防ぐことが出来る。よって使用者はスムーズに携帯音楽音声端末及びイヤホン３の使用を再開することが可能となる。さらに雄雌部材の嵌合状態の開放については、雌部の嵌合部先端側片１４を押すだけで実現できるため、イヤホンコード６を簡単に取り外すことができ、スムーズ且つ短時間の再開が実現可能である。(雄雌部材の嵌合状態を開放する際は、イヤホンヘッドとイヤホンプラグを掴持した上で、これらより必ず下にコード保持具がある状態で開放すると速やかに再開できる)
【００３９】
更に、コード保持具は、袋体開口部に合わせた長辺寸法の雄雌両部材外表面をそれぞれ袋体内面の開口部付近に設置することにより、袋体の閉塞部材を兼ねることも可能である。
【００４０】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４１】
1 イヤホン収納袋
2 イヤホン保持具
3 イヤホン
4 袋体
5 イヤホンヘッド
6 イヤホンコード
7 イヤホンプラグ
8 雄部挟み込み部材
9 雌部挟み込み部材
10 ヒンジ部
11 イヤホンコード保持用滑り止め部
12 開口部
13 嵌合部
14 嵌合部先端側片
15 係止片
16 イヤホンコード以外のコード、線状部材
【図１】
2016116049.tif 000003
【図２】
2016116049.tif 000004
【図３】
2016116049.tif 000005
【図４】
2016116049.tif 000006
【図５】
2016116049.tif 000007
【図６】
2016116049.tif 000008
【図７】
2016116049.tif 000009